(57)【要約】【課題】  等しい水圧で枝配管に給水・給湯でき、また枝配管をバンド等で簡易に結束できるような給水・給湯用ヘッダーを提供することを課題とする。【解決手段】基端部に給水・給湯配管の接続口２を有し、接続口２には拡径部４を介して貯水部５が接続され、更に貯水部５の終端には給水・給湯配管の接続口２からの給水・給湯の流れ方向に対して直交状に底板６が設けられ、底板６の表面には着脱可能に枝配管の接続部７を並設した給水・給湯用ヘッダー。【選択図】  図１
2005214280.tif 000002
【特許請求の範囲】
【請求項１】
基端部に給水・給湯配管の接続口を有し、且つその終端には給水・給湯配管の接続口からの給水・給湯の流れ方向に対して直交状に底板が設けられた貯水部が設けられ、該底板の表面には枝配管の接続部を並設したことを特徴とする給水・給湯用ヘッダー。
【請求項２】
貯水部が給水・給湯配管の接続口と拡径部を介して接続される請求項１記載の給水・給湯用ヘッダー。
【請求項３】
枝配管の接続部が底板に対して着脱可能に取り付けられた請求項１記載の給水・給湯用ヘッダー。
【発明の詳細な説明】
【技術分野】
【０００１】
この発明は、例えばボイラー等の給湯配管に取り付けられ、それぞれの枝配管に給水・給湯を配給するためのる給水・給湯用ヘッダーに関するものである。
【背景技術】
【０００２】
従来、給水・給湯用ヘッダーとしては、給水・給湯配管の長手方向に沿って枝配管の接続口を列設したものが一般的に知られている（特開2000-337589、特開2003-301488、特開2003-19182、特開2003-19182)。
【０００３】
また、中空の多角形本体の側面の一つに給水・給湯配管の接続口を設け、他の側面に枝配管の接続口を設けたものも知られている（特開平7-269769号）
【特許文献１】特開2000-337589、特開2003-301488、特開2003-19182、特開2003-19182、特開平7-269769号
【発明の開示】
【発明が解決しようとする課題】
【０００４】
一方、高層ホテル等においては屋上にボイラー装置を設置し、これより複数の枝配管を通して各階に給湯を行うようにしている（特開2000-240956)。
【０００５】
しかし、従来の給水・給湯用ヘッダーでは配管の給水・給湯供給口から枝配管の接続口までの距離に差が生じ、このため枝配管を通して各階に送られる給水・給湯には枝配管によって圧力差を生ずるという欠点がある。
【０００６】
また、給水・給湯用ヘッダーの接続口に取り付けられた複数の枝配管はバンド等で結束して階下に配設されていたが、従来の給水・給湯用ヘッダーでは各枝配管の接続口が離れているため、接続口に取り付けられる枝配管をバンド等で結束することが極めて困難であった。
【０００７】
そこで、この発明は等しい水圧で枝配管に給水・給湯でき、また枝配管をバンド等で簡易に結束できるような給水・給湯用ヘッダーを提供することを目的とする。
【課題を解決するための手段】
【０００８】
この発明では、上記実情に鑑み、基端部に給水・給湯配管の接続口を有し、且つその終端には給水・給湯配管の接続口からの給水・給湯の流れ方向に対して直交状に底板が設けられた貯水部が設けられ、該底板の表面には枝配管の接続部を並設した給水・給湯用ヘッダーを提案するものである。
【発明の効果】
【０００９】
即ち、この発明においてはボイラー等からの給湯は給湯配管の接続口より貯水部に供給され、更に底板表面に並設された接続部に取り付けられた枝配管を通して配給されるが、複数の枝配管の接続部が設けられた貯水部の底板は給湯配管の接続口からの給湯の流れ方向に対して直交状に設けられているため、底板の表面に設けられた接続部に取り付けられた枝配管からは等しい圧力で給湯を配給できる。
【００１０】
また、この発明では複数の枝配管は底板表面に並設された接続部に取り付けられるため、バンド等で容易に結束して配設することができる。
【００１１】
なお、給水・給湯配管の接続口は拡径部を介して貯水部に接続させることにより、接続口より供給される給水・給湯を乱流を生じさせることなく、貯水部に送り込んで枝配管より安定した給水・給湯の配給を行うことができる。
【００１２】
また、枝配管の接続部が底板に対して着脱可能にすることにより、例えば径の異なる枝配管の接続部と交換することもできる。
【発明を実施するための最良の形態】
【００１３】
基端部に給水・給湯配管の接続口を有し、該接続口には拡径部を介して貯水部が接続され、更に貯水部の終端には給水・給湯配管の接続口からの給水・給湯の流れ方向に対して直交状に底板が設けられ、該底板の表面には着脱可能に枝配管の接続部を並設した給水・給湯用ヘッダー。
【実施例１】
【００１４】
以下、この発明を図示の実施例に基づいて詳細に説明すると、１はこの発明の一実施例を示す給湯用ヘッダー、２は給湯配管の接続口、３は接続口２の周囲に設けられた給湯配管接続用のフランジである。
【００１５】
一方、接続口２の内部には拡径部４を介して貯水部５が設けられ、貯水部５の終端には給湯の流れ方向に直交状に底板６が設けられ、底板６のには枝配管の接続管７，…が螺着され、更に接続管７，…には枝配管８，…が取り付け、枝配管８，…はバンド９，９で結束されて目的とする給湯装置に配設される。
【００１６】
図５は、この発明に係る給湯用ヘッダーを用いて高層ホテルＡの屋上に設けられたボイラー装置10で発生した湯水を各階の給湯装置11,…に給湯する実施例を示すものであり、この実施例では高層ホテルＡの上部と下部にそれぞれ環状水路12a,12bが設けられ、環状水路12aと12bの間には給湯水路13,…が設けられ、更に給湯水路13,…から枝分かれして各階の給湯装置11,…に給湯が行われる。
【００１７】
ボイラー装置10の前端部と後端部には給湯用ヘッダー1aと1bが設けられ、給湯用ヘッダー1aに取り付けられてバンド９，９で結束された３本づつ二組の枝配管８，…は環状水路12aに配設され、給湯用ヘッダー1bに取り付けられてバンド９，９で結束された二組の枝配管８，…は環状水路12bに配設される。
【００１８】
そして、この実施例ではヘッダー1aからの湯水は二組の枝配管８，…を通して環状水路12aに供給され、ここを循環する湯水は給湯水路13,…を通って各階の給湯装置11,…に給湯され、残り湯水は環状水路12bに送られ、ここを循環する湯水は二組の枝配管８，…を通ってヘッダー1bに供給され、更にボイラー装置10を通ってヘッダー1aに送られるように循環される。
【００１９】
しかして、この実施例においては高層ホテルＡの上部と下部にそれぞれ環状水路12a,12bを設けて給湯水路13,…を通って各階の給湯装置11,…に供給される給湯水圧を一定にすると共に、しかも循環水路12aには上述のように二組の枝配管８，…を通して一定水圧の湯水は供給され、また循環水路12bからはヘッダー1bを通って一定水圧の湯水がボイラー装置10に戻されるため、高層ホテルＡ内の給湯を一定水圧の下に円滑に行わせることができる。
【産業上の利用可能性】
【００２０】
以上要するに、この発明によれば高層住宅に適した給水・給湯用ヘッダーを提供することができる。
【図面の簡単な説明】
【００２１】
【図１】この発明に係わる給湯用ヘッダーの一実施例を示す縦断側面図
【図２】同上の正面図
【図３】同上の底面図
【図４】枝配管を取り付けた状態における同上の側面図
【図５】この発明に係る給湯用ヘッダーを用いた給湯システムの説明図
【符号の説明】
【００２２】
１は給湯用ヘッダー
２は給湯配管の接続口
３は給湯配管接続用のフランジ
４は拡径部
５は貯水部
６は底板
７，…は枝配管の接続管
８，…は枝配管
９，９はバンド
10はボイラー装置
11,…は給湯装置
12a,12bは環状水路
13,…は給湯水路
【図１】
2005214280.tif 000003
【図２】
2005214280.tif 000004
【図３】
2005214280.tif 000005
【図４】
2005214280.tif 000006
【図５】
2005214280.tif 000007